(57)【要約】      （修正有）【課題】掛けられたハンガーが強風や突風で移動するのを確実に防止できる物干し具及び物干し竿部材を提供する。【解決手段】物干し具１は、長尺な平板状に形成された長尺部２と、長尺部を折曲することにより、長尺部の上方側に突設された複数の突出部３と、長尺部の長さ方向の両端部にそれぞれ設けられかつ物干し竿５に着脱自在に装着可能な２つの装着用ピンチ（装着用部材）４を備え、突出部の正面視形状が逆台形状に形成されている。また物干し竿部材１１は、物干し具１を２つの装着用ピンチによって物干し竿に着脱自在に装着されている。【選択図】図５
0003216894.tif 000002
【実用新案登録請求の範囲】
【請求項１】
長尺な平板状に形成された長尺部と、
前記長尺部を折曲することにより、前記長尺部の上方側に、前記長尺部の長さ方向に互いに間隔を開けて突設された複数の突出部と、
前記長尺部の長さ方向の両端部にそれぞれ設けられかつ物干し竿に着脱自在に装着可能な２つの装着用部材
を備え、
前記突出部の正面視形状を、下方から上方へ向かって幅広になる逆台形状に形成したことを特徴とする物干し具。
【請求項２】
長尺な平板状に形成された長尺部と、
前記長尺部を折曲することにより、前記長尺部の上方側に、前記長尺部の長さ方向に互いに間隔を開けて突設された複数の突出部と、
前記長尺部の長さ方向の両端部にそれぞれ設けられかつ物干し竿に着脱自在に装着可能な２つの装着用部材
を備え、
前記突出部の正面視形状を、左右両側にそれぞれオーバーハング部を有する逆凸字状に形成したことを特徴とする物干し具。
【請求項３】
前記装着用部材が装着用ピンチである請求項１又は２に記載の物干し具。
【請求項４】
請求項１から３のいずれかに記載の物干し具を、前記２つの装着用部材によって物干し竿に着脱自在に装着したことを特徴とする物干し竿部材。
【請求項５】
物干し竿と、
長尺な平板状に形成された長尺部材を折曲することにより、前記物干し竿の上方側に、前記物干し竿の長さ方向に互いに間隔を開けて突設された複数の突出部
を備え、
前記突出部の正面視形状を、下方から上方へ向かって幅広になる逆台形状に形成したことを特徴とする物干し竿部材。
【請求項６】
物干し竿と、
長尺な平板状に形成された長尺部材を折曲することにより、前記物干し竿の上方側に、前記物干し竿の長さ方向に互いに間隔を開けて突設された複数の突出部
を備え、
前記突出部の正面視形状を、左右両側にそれぞれオーバーハング部を有する逆凸字状に形成したことを特徴とする物干し竿部材。
【考案の詳細な説明】
【技術分野】
【０００１】
本考案は、洗濯物がそれぞれ掛けられた複数のハンガーを互いに間隔を開けて掛けた状態で各洗濯物を干すための物干し具及び物干し竿部材に関するものである。
【背景技術】
【０００２】
従来のこの種の技術としては、
洗濯物を掛けるハンガーを掛止すると共に、棒体よりなる物干し竿と、
前記物干し竿の外表面の軸芯に沿った長手方向の一側壁に設けられ、前記ハンガーの滑り移動を阻止する移動阻止手段を有する掛止具と、
前記掛止具を取り付けた物干し竿の掛止具取付面と対向する面に、前記ハンガーを滑らせるために必要に応じて滑り具を設けた滑り面
からなり、
洗濯物の乾燥には水平状態に配設した前記物干し竿の頂部側に、前記掛止具を位置させることで前記ハンガーの移動を阻止し、
洗濯物の取入れには前記掛止具を物干し竿の前記頂部側から下部側に位置するように前記物干し竿を軸回転すると共に、その一端側を傾斜させることによってハンガーは掛止具取付面から前記滑り面への掛止に移行して、傾斜させた物干し竿に沿って滑りながら一方に集合するようにした
掛止手段付き物干し竿（例えば、特許文献１参照。）等が知られている。
【０００３】
また、物干し竿に装着した物干し具本体を１８０度回転させることにより、物干し具本体に掛かっていたハンガーを１箇所に集めることができるようにした移動式物干し具（例えば、特許文献２参照。）等も知られている。
【０００４】
そして、上記の掛止手段付き物干し竿においては、物干し竿の軸芯に沿った長手方向の一側壁に配設され、前記物干し竿の直径よりも幅を狭く設定した帯状に形成され、掛止したハンガーの滑り移動を阻止するために互いに間隔を開けて配設された複数の突出体を備えた掛止具や、ハンガーを掛止するための複数の掛止凹部を互いに間隔を開けて帯状のクッション材に設けた掛止具が開示されている。
【０００５】
上記の移動式物干し具においては、ハンガーが風などで移動しないようにするための複数の突起を上部に設けた物干し具本体が開示されている。
【先行技術文献】
【特許文献】
【０００６】
【特許文献１】特開２００７−１３６１４０号公報（請求項１、請求項４、図５〜図７、等）
【特許文献２】特開平１０−１５１２９８号公報（請求項２、図２、等）
【考案の開示】
【考案が解決しようとする課題】
【０００７】
しかし、上記のような突出体を備えた掛止具や、掛止凹部に隣接する凸部を備えた掛止具や、突起を備えた物干し具本体においては、掛けられたハンガーが強風や突風で突出体や凸部や突起を乗り越えて移動し、複数のハンガーが近くに集まりがちであるという問題点がある。
【０００８】
本考案は、以上のような事情や問題点に鑑みてなされたものであり、掛けられたハンガーが強風や突風で移動するのを確実に防止できる物干し具及び物干し竿部材を提供することを目的とする。
【課題を解決するための手段】
【０００９】
上記目的を達成するための第１の物干し具の考案は、
長尺な平板状に形成された長尺部と、
前記長尺部を折曲することにより、前記長尺部の上方側に、前記長尺部の長さ方向に互いに間隔を開けて突設された複数の突出部と、
前記長尺部の長さ方向の両端部にそれぞれ設けられかつ物干し竿に着脱自在に装着可能な２つの装着用部材
を備え、
前記突出部の正面視形状を、下方から上方へ向かって幅広になる逆台形状に形成した
ものである。
【００１０】
第２の物干し具の考案は、
長尺な平板状に形成された長尺部と、
前記長尺部を折曲することにより、前記長尺部の上方側に、前記長尺部の長さ方向に互いに間隔を開けて突設された複数の突出部と、
前記長尺部の長さ方向の両端部にそれぞれ設けられかつ物干し竿に着脱自在に装着可能な２つの装着用部材
を備え、
前記突出部の正面視形状を、左右両側にそれぞれオーバーハング部を有する逆凸字状に形成した
ものである。
【００１１】
第３の物干し具の考案においては、前記装着用部材が装着用ピンチである。
【００１２】
また、第４の物干し竿部材の考案は、第１から第３のいずれかの物干し具を、前記２つの装着用部材によって物干し竿に着脱自在に装着したものである。
【００１３】
第５の物干し竿部材の考案は、
物干し竿と、
長尺な平板状に形成された長尺部材を折曲することにより、前記物干し竿の上方側に、前記物干し竿の長さ方向に互いに間隔を開けて突設された複数の突出部
を備え、
前記突出部の正面視形状を、下方から上方へ向かって幅広になる逆台形状に形成した
ものである。
【００１４】
第６の物干し竿部材の考案は、
物干し竿と、
長尺な平板状に形成された長尺部材を折曲することにより、前記物干し竿の上方側に、前記物干し竿の長さ方向に互いに間隔を開けて突設された複数の突出部
を備え、
前記突出部の正面視形状を、左右両側にそれぞれオーバーハング部を有する逆凸字状に形成した
ものである。
【考案の効果】
【００１５】
第１、第４、及び第５の考案によれば、掛けられたハンガーが強風や突風で突出部を乗り越えて移動するのを確実に防止することができる。また、第１の考案によれば、物干し具をより簡単に製造できると共に、物干し具の軽量化を図ることができる。更に、第５の考案によれば、物干し竿部材をより簡単に製造できると共に、物干し竿部材の軽量化を図ることができる。
【００１６】
第２及び第６の考案によれば、突出部の左右両側にそれぞれオーバーハング部を有しているので、掛けられたハンガーが強風や突風で突出部を乗り越えて移動するのをより確実に防止することができる。また、第２の考案によれば、物干し具をより簡単に製造できると共に、物干し具の軽量化を図ることができる。更に、第６の考案によれば、物干し竿部材をより簡単に製造できると共に、物干し竿部材の軽量化を図ることができる。
【００１７】
第３の考案によれば、物干し竿に対する脱着をより簡単に行うことができる。
【図面の簡単な説明】
【００１８】
【図１】第１実施形態における物干し具の正面図である。
【図２】物干し具の右側面図である。
【図３】物干し具の突出部周辺の要部拡大正面図である。
【図４】物干し具の突出部周辺の要部拡大平面図である。
【図５】物干し具を物干し竿の上方側に装着した状態を示す要部拡大正面図である。
【図６】洗濯物がそれぞれ掛けられた複数のハンガーを物干し具に掛けた状態を示す要部拡大正面図である。
【図７】ハンガーを掛けた部分周辺の要部拡大正面図である。
【図８】物干し竿を反転させた状態を示す要部拡大正面図である。
【図９】複数のハンガーを一側に寄せ集めた状態を示す要部拡大正面図である。
【図１０】第２実施形態における物干し具の突出部周辺の要部拡大正面図である。
【図１１】第３実施形態における物干し竿部材の要部拡大正面図である。
【考案を実施するための形態】
【００１９】
以下、本考案の実施形態を、図面に基づいて説明する。
第１実施形態における物干し具１は、図１〜図４に示すように、長尺部２と、複数の突出部３と、２つの装着用ピンチ（装着用部材）４を備えている。
【００２０】
長尺部２は、長尺な例えば板状に形成されている。長尺部２の形状は、特に限定されるものではなく、棒状等でもよい。
【００２１】
突出部３は、長尺部２の上方側に、長尺部２の長さ方向に互いに間隔を開けて複数個突設されている。突出部３の正面視形状は、下方から上方へ向かって幅広になる逆台形状に形成されている。
【００２２】
突出部３の構成は特に限定されるものではないが、本実施形態のように、長尺部２を折曲することにより突出部３を突設すれば、物干し具１をより簡単に製造できると共に、物干し具１の軽量化を図ることができるという利点がある。
【００２３】
装着用ピンチ４は、長尺部２の長さ方向の両端部にそれぞれ設けられており、図５に示すように、物干し竿５に着脱自在に装着可能となっている。物干し竿５に着脱自在に装着可能な装着用部材としては、従来公知の各種の構成を採用できるが、本実施形態のように、装着用ピンチ４を採用すれば、物干し竿５に対する脱着をより簡単に行えるという利点がある。
【００２４】
物干し具１の材質としては、例えば、ステンレス、アルミニウム、その他の金属、プラスチック、ＦＲＰ（繊維強化プラスチック）等が挙げられる。
【００２５】
物干し具１の使用に際しては、図５に示すように、まず、適宜の竿掛け（図示せず）に水平に掛けられた物干し竿５の上方側に、物干し具１を２つの装着用ピンチ４によって装着する。あるいは、あらかじめ物干し具１を２つの装着用ピンチ４によって物干し竿５に着脱自在に装着した物干し竿部材１１としておき、突出部３が上方側になるようにして物干し竿部材１１を適宜の竿掛け（図示せず）に水平に掛けてもよい。
【００２６】
洗濯物１２がそれぞれ掛けられた複数のハンガー１３は、図６及び図７に示すように、突出部３の左右の少なくともいずれかに掛けていけばよい。
【００２７】
上記のように構成された物干し具１によれば、突出部３の正面視形状を、下方から上方へ向かって幅広になる逆台形状に形成しているので、掛けられたハンガー１３が強風や突風で突出部３を乗り越えて移動するのを確実に防止できるという利点がある。
【００２８】
洗濯物１２の取り込みに際しては、図８及び図９に示すように、突出部３が下方側になるように物干し竿５を回転（反転）させれば、複数のハンガー１３を一側に寄せ集めて一気に取り込むことができる。
【００２９】
第２実施形態における物干し具２１は、図１０に示すように、第１実施形態において、突出部３の正面視形状を、左右両側にそれぞれオーバーハング部２２を有する逆凸字状に形成したものである。
【００３０】
オーバーハング部２２の断面形状としては、例えば、正方形状、長方形状、三角形状、台形状、半円状、半楕円状等が挙げられる。
【００３１】
上記のように構成された物干し具２１によれば、突出部３の左右両側にそれぞれオーバーハング部２２を有しているので、掛けられたハンガー１３が強風や突風で突出部３を乗り越えて移動するのをより確実に防止できるという利点がある。
【００３２】
第３実施形態における物干し竿部材３１は、図１１に示すように、物干し竿５と、複数の突出部３を備えている。
【００３３】
突出部３は、第１実施形態と同様に構成され、物干し竿５の上方側に、物干し竿５の長さ方向に互いに間隔を開けて複数個突設されていると共に、突出部３の正面視形状は逆台形状に形成されている。
【００３４】
突出部３の構成は特に限定されるものではないが、本実施形態のように、長尺部材３２を折曲することにより突出部３を突設すれば、物干し竿部材３１をより簡単に製造できると共に、物干し竿部材３１の軽量化を図ることができるという利点がある。長尺部材３２の形状としては、例えば、板状、棒状等が挙げられる。
【００３５】
物干し竿部材３１の材質としては、例えば、ステンレス、アルミニウム、その他の金属、プラスチック、ＦＲＰ（繊維強化プラスチック）等が挙げられる。
【００３６】
物干し竿部材３１の使用に際しては、突出部３が上方側になるようにして物干し竿部材３１を適宜の竿掛け（図示せず）に水平に掛ければよい。洗濯物１２がそれぞれ掛けられた複数のハンガー１３は、第１実施形態と同様、突出部３の左右の少なくともいずれかに掛けていけばよい。
【００３７】
上記のように構成された物干し竿部材３１によれば、突出部３の正面視形状を逆台形状に形成しているので、掛けられたハンガー１３が強風や突風で突出部３を乗り越えて移動するのを確実に防止できるという利点がある。
【００３８】
洗濯物１２の取り込みに際しても、第１実施形態と同様、突出部３が下方側になるように物干し竿部材３１を回転（反転）させれば、複数のハンガー１３を一側に寄せ集めて一気に取り込むことができる。
【００３９】
また、本実施形態においても、第２実施形態のように、突出部３の正面視形状を、左右両側にそれぞれオーバーハング部２２を有する逆凸字状に形成しておけば、掛けられたハンガー１３が強風や突風で突出部３を乗り越えて移動するのをより確実に防止できるという利点がある。
【産業上の利用可能性】
【００４０】
以上のように、本考案の物干し具及び物干し竿部材は、掛けられたハンガーが強風や突風で移動するのを確実に防止するための手段として有用である。
【符号の説明】
【００４１】
１  物干し具
２  長尺部
３  突出部
４  装着用ピンチ（装着用部材）
５  物干し竿
１１  物干し竿部材
２１  物干し具
２２  オーバーハング部
３１  物干し竿部材
３２  長尺部材
【図１】
0003216894.tif 000003
【図２】
0003216894.tif 000004
【図３】
0003216894.tif 000005
【図４】
0003216894.tif 000006
【図５】
0003216894.tif 000007
【図６】
0003216894.tif 000008
【図７】
0003216894.tif 000009
【図８】
0003216894.tif 000010
【図９】
0003216894.tif 000011
【図１０】
0003216894.tif 000012
【図１１】
0003216894.tif 000013